【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
通信の方法であって、
特定のデバイスにおいてトラフィックアドバタイズメントを生成することと、ここで、前記トラフィックアドバタイズメントは、デバイスのセットのうちの複数のデバイスへ前記特定のデバイスによって送信されるべきデータのアベイラビリティを示し、ここにおいて、前記データは、前記複数のデバイスのうちの第１のデバイスに送信されるべき第１のデータと、前記複数のデバイスのうちの第２のデバイスに送信されるべき第２のデータとを含む、
前記特定のデバイスから、ページングウィンドウの間に前記トラフィックアドバタイズメントを送信することと、ここにおいて、デバイスの前記セットのうちの１つまたは複数のデバイスが前記ページングウィンドウの間に特定の通信チャネルを監視し、前記ページングウィンドウが特定の送信ウィンドウの第１の部分に対応する、
データ送信ウィンドウの間に、前記特定のデバイスから前記第１のデバイスに前記第１のデータを送信することと、ここにおいて、前記送信ウィンドウが前記ページングウィンドウに続く前記特定の送信ウィンドウの第２の部分に対応する、
を備える、方法。
【請求項２】
前記特定のデバイスから前記複数のデバイスのうちの特定の第１のデバイスへ送信要求（ＲＴＳ）フレームを送信することをさらに備え、前記トラフィックアドバタイズメントが、前記特定の第１のデバイスから送信可（ＣＴＳ）フレームを受信したことに応答して送信される、請求項１に記載の方法。
【請求項３】
第１の時間において、前記特定のデバイスから前記複数のデバイスのうちの特定の第１のデバイスへ第１の送信要求（ＲＴＳ）フレームを送信することと、
第１の送信可（ＣＴＳ）フレームが前記特定の第１のデバイスから前記特定のデバイスにおいて受信されていないと第２の時間において決定したことに応答して、前記特定のデバイスから前記複数のデバイスのうちの特定の第２のデバイスへ第２のＲＴＳフレームを送信することとをさらに備え、
前記第１の時間と前記第２の時間との間の差が、短フレーム間空間（ＳＩＦＳ）時間以上であり、
前記トラフィックアドバタイズメントが、前記特定の第２のデバイスから第２のＣＴＳフレームを受信したことに応答して送信される、請求項１に記載の方法。
【請求項４】
前記トラフィックアドバタイズメントがマルチキャストメッセージを含む、請求項１に記載の方法。
【請求項５】
前記トラフィックアドバタイズメントが第１のユニキャストメッセージを含み、前記第１のデバイスが前記第１のユニキャストメッセージの宛先であることを前記第１のユニキャストメッセージが示す、請求項１に記載の方法。
【請求項６】
アソシエーションプロセスの間に、
デバイスの前記セットのうちの前記第１のデバイスにアソシエーション識別子を割り当てることと、
前記アソシエーション識別子を前記特定のデバイスから前記第１のデバイスに送信することと、
をさらに備え、
前記トラフィックアドバタイズメントが、前記複数のデバイスを示すビットマップを含み、
前記ビットマップが、米国電気電子学会（ＩＥＥＥ）８０２．１１規格に適合するトラフィック指示マップ（ＴＩＭ）を含み、
前記ビットマップの特定のビットが前記アソシエーション識別子に対応する、
請求項１に記載の方法。
【請求項７】
前記データが前記特定のデバイスによって提供される特定のサービスと関連付けられ、
前記トラフィックアドバタイズメントを生成することが、デバイスの前記セットの各デバイスへ前記特定のデバイスによって前記データが送信されるべきであると決定したことに応答して、前記特定のサービスを示すように前記トラフィックアドバタイズメントの宛先フィールドを設定することを含む、請求項１に記載の方法。
【請求項８】
前記トラフィックアドバタイズメントが、アナウンスメントトラフィック指示メッセージ（ＡＴＩＭ）を含み、前記ＡＴＩＭの宛先フィールドが、前記複数のデバイスを示すグループアドレスを含む、請求項１に記載の方法。
【請求項９】
前記トラフィックアドバタイズメントが、トラフィック指示マップ（ＴＩＭ）を含むように生成されるべきか、媒体アクセス制御（ＭＡＣ）アドレスインジケータリストを含むように生成されるべきか、ブルームフィルタを表すビットを含むように生成されるべきか、またはアナウンスメントトラフィック指示メッセージ（ＡＴＩＭ）を含むように生成されるべきかを選択することをさらに備え、前記選択は、前記複数のデバイスの数が閾値より少ないかどうかを決定すること、アソシエーション識別子が前記複数のデバイスのうちの少なくとも１つに割り当てられているかどうかを決定すること、またはそれら両方に基づく、請求項１に記載の方法。
【請求項１０】
前記アソシエーション識別子が前記複数のデバイスのうちの少なくとも１つに割り当てられていると決定したことに応答して、前記トラフィックアドバタイズメントが、前記ＴＩＭを含むように生成される、または、
前記複数のデバイスの前記数がリスト閾値より少ないと決定したことに応答して、前記トラフィックアドバタイズメントが前記ＭＡＣアドレスインジケータリストを含むように生成され、前記ＭＡＣアドレスインジケータリストのＭＡＣアドレスインジケータが、ＭＡＣアドレスの少なくとも一部分、前記ＭＡＣアドレスに基づくハッシュ値、または前記ＭＡＣアドレスに基づく別の値を含み、前記複数のデバイスの前記数が前記リスト閾値以上であると決定したことに応答して、前記トラフィックアドバタイズメントが、前記ブルームフィルタを表す前記ビットを含むように生成される、または、
前記複数のデバイスの前記数が特定の閾値未満であることと、前記複数のデバイスのいずれもがアソシエーション識別子を割り当てられていないこととを決定したことに応答して、前記トラフィックアドバタイズメントが、前記ＡＴＩＭを含むように生成される、請求項９に記載の方法。
【請求項１１】
前記第１のデータが前記第１のデバイスの第１のアベイラビリティに基づいて前記第１のデバイスに送信され、前記第２のデータが前記第２のデバイスの第２のアベイラビリティに基づいて前記第２のデバイスに送信される、請求項１に記載の方法。
【請求項１２】
前記データ送信ウィンドウの開始部分の間に前記第１のデバイスからトリガメッセージを受信したことに応答して、前記第１のデータが前記第１のデバイスに送信され、前記トリガメッセージが、前記第１のデバイスのアベイラビリティを示す、請求項１に記載の方法。
【請求項１３】
前記第１のＡＣＫが前記ページングウィンドウの間に前記第１のデバイスから受信されたと決定したことに応答して、前記第１のデバイスが前記第１のデータを受信するために前記データ送信ウィンドウの間に利用可能であると決定することをさらに備え、
前記第１のデバイスが前記第１のデータを受信するのに利用可能であると決定したことに応答して、前記第１のデータが前記第１のデバイスに送信される、請求項１に記載の方法。
【請求項１４】
命令を記憶するコンピュータ可読記憶デバイスであって、前記命令が、プロセッサによって実行されると、前記プロセッサに、請求項１〜１３のうちのいずれか一項に記載の方法を実行させる、コンピュータ可読記憶デバイス。
【請求項１５】
通信のための装置であって、
特定のデバイスにおいてトラフィックアドバタイズメントを生成するための手段と、ここで、前記トラフィックアドバタイズメントは、デバイスのセットのうちの複数のデバイスへ前記特定のデバイスによって送信されるべきデータのアベイラビリティを示し、ここにおいて、前記データは、前記複数のデバイスのうちの第１のデバイスに送信されるべき第１のデータと、前記複数のデバイスのうちの第２のデバイスに送信されるべき第２のデータとを含む、
前記特定のデバイスから、ページングウィンドウの間に前記トラフィックアドバタイズメントを送信するための手段と、ここにおいて、デバイスの前記セットのうちの１つまたは複数のデバイスが前記ページングウィンドウの間に特定の通信チャネルを監視し、前記ページングウィンドウが特定の送信ウィンドウの第１の部分に対応する、
データ送信ウィンドウの間に、前記特定のデバイスから前記第１のデバイスに前記第１のデータを送信するための手段と、ここにおいて、前記送信ウィンドウが前記ページングウィンドウに続く前記特定の送信ウィンドウの第２の部分に対応する、
を備える、装置。
【手続補正２】
【補正対象書類名】明細書
【補正対象項目名】０６１８
【補正方法】変更
【補正の内容】
【０６１８】
[0667]開示された態様の上記の説明は、当業者が開示された態様を製作または使用することを可能にするために提供されている。これらの態様への様々な修正が当業者には容易に明らかになり、本明細書で定義された原理が、本開示の範囲から逸脱することなく他の態様に適用され得る。したがって、本開示は、本明細書に示された態様に限定されることを意図されておらず、以下の特許請求の範囲によって定義される原理および新規な特徴と一致する可能な最も広い範囲を与えられるべきである。
以下に本願の出願当初の特許請求の範囲に記載された発明を付記する。
[Ｃ１]  通信の方法であって、
特定のデバイスにおいてトラフィックアドバタイズメントを生成することと、ここで、前記トラフィックアドバタイズメントは、デバイスのセットのうちの複数のデバイスへ前記特定のデバイスによって送信されるべきデータのアベイラビリティを示し、ここにおいて、前記データは、前記複数のデバイスのうちの第１のデバイスに送信されるべき第１のデータと、前記複数のデバイスのうちの第２のデバイスに送信されるべき第２のデータとを含む、
前記特定のデバイスから、ページングウィンドウの間に前記トラフィックアドバタイズメントを送信することと、
肯定応答デバイスから前記特定のデバイスにおいて前記ページングウィンドウの間に第１の肯定応答（ＡＣＫ）を受信することと、
データ送信ウィンドウの間に、前記特定のデバイスから前記第１のデバイスに前記第１のデータを送信することと、
を備える、方法。
[Ｃ２]  前記特定のデバイスから前記複数のデバイスのうちの特定の第１のデバイスへ送信要求（ＲＴＳ）フレームを送信することをさらに備え、前記トラフィックアドバタイズメントが、前記特定の第１のデバイスから送信可（ＣＴＳ）フレームを受信したことに応答して送信される、Ｃ１に記載の方法。
[Ｃ３]  第１の時間において、前記特定のデバイスから前記複数のデバイスのうちの特定の第１のデバイスへ第１の送信要求（ＲＴＳ）フレームを送信することと、
第１の送信可（ＣＴＳ）フレームが前記特定の第１のデバイスから前記特定のデバイスにおいて受信されていないと第２の時間において決定したことに応答して、前記特定のデバイスから前記複数のデバイスのうちの特定の第２のデバイスへ第２のＲＴＳフレームを送信することとをさらに備え、
前記第１の時間と前記第２の時間との間の差が、短フレーム間空間（ＳＩＦＳ）時間以上であり、
前記トラフィックアドバタイズメントが、前記特定の第２のデバイスから第２のＣＴＳフレームを受信したことに応答して送信される、Ｃ１に記載の方法。
[Ｃ４]  前記トラフィックアドバタイズメントがマルチキャストメッセージを含む、Ｃ１に記載の方法。
[Ｃ５]  前記トラフィックアドバタイズメントが第１のユニキャストメッセージを含み、前記第１のデバイスが前記第１のユニキャストメッセージの宛先であることを前記第１のユニキャストメッセージが示す、Ｃ１に記載の方法。
[Ｃ６]  前記第１のユニキャストメッセージを送信する前に、前記ページングウィンドウの間に、前記特定のデバイスから第２のユニキャストメッセージを送信することをさらに備え、  前記第２のユニキャストメッセージが前記トラフィックアドバタイズメントを含み、  前記第２のユニキャストメッセージが、第３のデバイスが前記第２のユニキャストメッセージのユニキャスト宛先であることを示し、
肯定応答（ＡＣＫ）が前記第２のユニキャストメッセージを送信する特定の持続時間内に前記第３のデバイスから前記特定のデバイスによって受信されていないと決定したことに応答して、前記第１のユニキャストメッセージが送信される、Ｃ５に記載の方法。
[Ｃ７]  特定の論理チャネルが特定の通信チャネルと少なくとも１つの送信ウィンドウとに対応し、デバイスの前記セットのうちの１つまたは複数のデバイスが前記ページングウィンドウの間に前記特定の通信チャネルを監視し、前記ページングウィンドウが前記少なくとも１つの送信ウィンドウの特定の送信ウィンドウの開始部分に対応し、前記データ送信ウィンドウが前記ページングウィンドウに続く前記特定の送信ウィンドウの第２の部分に対応する、Ｃ１に記載の方法。
[Ｃ８]  アソシエーションプロセスの間に、
デバイスの前記セットのうちの第１の特定のデバイスにアソシエーション識別子を割り当てることと、
前記アソシエーション識別子を前記特定のデバイスから前記第１の特定のデバイスに送信することと、
をさらに備え、
前記トラフィックアドバタイズメントが、前記複数のデバイスを示すビットマップを含み、
前記ビットマップが、米国電気電子学会（ＩＥＥＥ）８０２．１１規格に適合するトラフィック指示マップ（ＴＩＭ）を含み、
前記ビットマップの特定のビットが前記アソシエーション識別子に対応する、
Ｃ１に記載の方法。
[Ｃ９]  前記データが前記特定のデバイスによって提供される特定のサービスと関連付けられ、  前記トラフィックアドバタイズメントを生成することが、デバイスの前記セットの各デバイスへ前記特定のデバイスによって前記データが送信されるべきであると決定したことに応答して、前記特定のサービスを示すように前記トラフィックアドバタイズメントの宛先フィールドを設定することを含む、Ｃ１に記載の方法。
[Ｃ１０]  前記トラフィックアドバタイズメントが、アナウンスメントトラフィック指示メッセージ（ＡＴＩＭ）を含み、前記ＡＴＩＭの宛先フィールドが、前記複数のデバイスを示すグループアドレスを含む、Ｃ１に記載の方法。
[Ｃ１１]  前記トラフィックアドバタイズメントが、トラフィック指示マップ（ＴＩＭ）を含むように生成されるべきか、媒体アクセス制御（ＭＡＣ）アドレスインジケータリストを含むように生成されるべきか、ブルームフィルタを表すビットを含むように生成されるべきか、またはアナウンスメントトラフィック指示メッセージ（ＡＴＩＭ）を含むように生成されるべきかを選択することをさらに備え、前記選択は、前記複数のデバイスの数が閾値より少ないかどうかを決定すること、アソシエーション識別子が前記複数のデバイスのうちの少なくとも１つに割り当てられているかどうかを決定すること、またはそれら両方に基づく、Ｃ１に記載の方法。
[Ｃ１２]  前記アソシエーション識別子が前記複数のデバイスのうちの少なくとも１つに割り当てられていると決定したことに応答して、前記トラフィックアドバタイズメントが、前記ＴＩＭを含むように生成される、Ｃ１１に記載の方法。
[Ｃ１３]  前記複数のデバイスの前記数がリスト閾値より少ないと決定したことに応答して、前記トラフィックアドバタイズメントが前記ＭＡＣアドレスインジケータリストを含むように生成され、前記ＭＡＣアドレスインジケータリストのＭＡＣアドレスインジケータが、ＭＡＣアドレスの少なくとも一部分、前記ＭＡＣアドレスに基づくハッシュ値、または前記ＭＡＣアドレスに基づく別の値を含み、前記トラフィックアドバタイズメントが、前記複数のデバイスの前記数が前記リスト閾値以上であると決定したことに応答して、前記ブルームフィルタを表す前記ビットを含むように生成される、Ｃ１１に記載の方法。
[Ｃ１４]  前記トラフィックアドバタイズメントが、前記複数のデバイスの前記数が特定の閾値未満であることと、前記複数のデバイスのいずれもがアソシエーション識別子を割り当てられていないこととを決定したことに応答して、前記ＡＴＩＭを含むように生成される、Ｃ１１に記載の方法。
[Ｃ１５]  前記第１のデータが前記第１のデバイスの第１のアベイラビリティに基づいて前記第１のデバイスに送信され、前記第２のデータが前記第２のデバイスの第２のアベイラビリティに基づいて前記第２のデバイスに送信される、Ｃ１に記載の方法。
[Ｃ１６]  前記データ送信ウィンドウの開始部分の間に前記第１のデバイスからトリガメッセージを受信したことに応答して、前記第１のデータが前記第１のデバイスに送信され、前記トリガメッセージが、前記第１のデバイスのアベイラビリティを示す、Ｃ１に記載の方法。
[Ｃ１７]  前記第１のＡＣＫが前記ページングウィンドウの間に前記第１のデバイスから受信されたと決定したことに応答して、前記第１のデバイスが前記第１のデータを受信するために前記データ送信ウィンドウの間に利用可能であると決定することをさらに備え、
前記第１のデバイスが前記第１のデータを受信するのに利用可能であると決定したことに応答して、前記第１のデータが前記第１のデバイスに送信される、Ｃ１に記載の方法。
[Ｃ１８]  命令を記憶するコンピュータ可読記憶デバイスであって、前記命令が、プロセッサによって実行されると、前記プロセッサに、
第１のデバイスにおいて特定のデバイスからトラフィックアドバタイズメントを受信することと、ここで、前記トラフィックアドバタイズメントは、デバイスのセットのうちの複数のデバイスへ前記特定のデバイスによって送信されるべきデータのアベイラビリティを示す、
前記第１のデバイスにおいて、前記第１のデバイスが前記複数のデバイスのリーダーデバイスであるかどうかを決定することと、
前記決定に基づいて、肯定応答（ＡＣＫ）を前記第１のデバイスから前記特定のデバイスに送信することと
を備える動作を実行させる、コンピュータ可読記憶デバイス。
[Ｃ１９]  前記動作が、前記第１のデバイスにおいて、前記第１のデバイスが前記複数のデバイスに含まれることと、別のデバイスから前記特定のデバイスへの第１のＡＣＫが前記トラフィックアドバタイズメントを受信する特定の持続時間内に検出されないこととを決定したことに応答して、前記第１のデバイスが前記リーダーデバイスであると決定することをさらに備える、Ｃ１８に記載のコンピュータ可読記憶デバイス。
[Ｃ２０]  前記特定の持続時間が、前記複数のデバイスの識別子に対する前記第１のデバイスの識別子のソーティング順序に基づき、前記特定の持続時間が、前記ソーティング順序およびギャップ持続時間に関数を適用することによって決定され、前記関数が加算または乗算のうちの少なくとも１つを含む、Ｃ１９に記載のコンピュータ可読記憶デバイス。
[Ｃ２１]  前記ギャップ持続時間が前記特定のデバイスによってデバイスの前記セットに提供され、前記特定の持続時間がランダムカウンタまたは疑似ランダムカウンタに基づく、Ｃ２０に記載のコンピュータ可読記憶デバイス。
[Ｃ２２]  前記動作が、前記第１のデバイスにおいて、前記第１のデバイスが前記複数のデバイスに含まれることと、前記トラフィックアドバタイズメントがユニキャストメッセージを含むことと、前記第１のデバイスが前記ユニキャストメッセージの宛先であることを前記ユニキャストメッセージが示すこととを決定したことに応答して、前記第１のデバイスが前記リーダーデバイスであると決定することをさらに備える、Ｃ１８に記載のコンピュータ可読記憶デバイス。
[Ｃ２３]  第２のデバイスからパケットを受信するように構成されたインターフェースと、ここにおいて、前記インターフェースは無差別モードで動作するように構成される、
少なくとも１つの基準に基づいて前記パケットを選択的に処理するように構成されたプロセッサと、
を備える、デバイス。
[Ｃ２４]  前記少なくとも１つの基準が満たされることを決定したことに応答して、前記プロセッサが前記パケットを処理するように構成され、前記プロセッサが、アソシエーション識別子が前記第２のデバイスに割り当てられていると決定すること、前記パケットがデバイスのグループのグループ識別子を含むと決定すること、前記パケットが前記第２のデバイスとのアクティブトラフィックセッションに対応すると決定すること、またはこれらの組合せに応答して、前記少なくとも１つの基準が満たされると決定するようにさらに構成される、Ｃ２３に記載のデバイス。
[Ｃ２５]  前記インターフェースが、前記無差別モードで動作している間、前記インターフェースが前記パケットの宛先であることを前記パケットが示すかどうかとは無関係に、前記パケットを前記プロセッサに提供するように構成される、Ｃ２４に記載のデバイス。
[Ｃ２６]  前記プロセッサが、前記第２のデバイスとのアソシエーションプロセスの間に、前記アソシエーション識別子を前記第２のデバイスに割り当てる、Ｃ２４に記載のデバイス。
[Ｃ２７]  前記パケットがアクティブトラフィックセッションに対応すると決定することが、前記第２のデバイスから以前に受信されたパケットと関連付けられるパターン、前記第２のデバイスから以前に受信されたサービスアドバタイズメントと関連付けられるサービスのタイプ、またはそれら両方に基づく、Ｃ２３に記載のデバイス。
[Ｃ２８]  通信のための装置であって、
第２のデバイスから第１のデバイスにおいてパケットを受信するための手段と、ここにおいて、前記第１のデバイスは無差別モードで動作するように構成される、
前記第１のデバイスが前記第２のデバイスと関連付けられること、前記パケットが前記第１のデバイスを含むデバイスのグループのグループ識別子を含むこと、前記パケットが前記第１のデバイスと前記第２のデバイスとの間のアクティブトラフィックセッションに対応すること、またはこれらの組合せを決定したことに基づいて、前記パケットを選択的に処理するための手段と、
を備える、装置。
[Ｃ２９]  デバイスの前記グループが、近隣認識ネットワーク（ＮＡＮ）クラスタのＮＡＮデータリンク（ＮＤＬ）グループに対応し、前記グループ識別子が、ＮＤＬグループ識別子、ＮＡＮクラスタ識別子、または米国電気電子学会（ＩＥＥＥ）８０２．１１規格に適合する別の値に対応する、Ｃ２８に記載の装置。
[Ｃ３０]  受信するための前記手段および選択的に処理するための前記手段が、通信デバイス、音楽プレーヤ、ビデオプレーヤ、エンターテインメントユニット、ナビゲーションデバイス、携帯情報端末（ＰＤＡ）、モバイルデバイス、コンピュータ、デコーダ、またはセットトップボックスのうちの少なくとも１つに組み込まれる、Ｃ２８に記載の装置。